(57)【要約】  液密シール（１４）によって周囲的に一緒に結合された、重ね合わされた前シートと後シート（１０、１２）の間に形成されたポケット（１６）を有する、液体を中に保管するのに適したパッケージであって、上部パッケージ部分が、ポケット（１６）から延びるネック部分（２０）の端部を備え、ネック部分（２０）の上部（２２）は、ポケット（１６）より狭く、少なくとも１つの補強部分（２８）が、上部パッケージ部分に配置され、ネック部分（２０）の上部（２２）の少なくとも１つの側を延びる。前シート（１０）および後シート（１２）はそれぞれ、ポケット（１６）およびネック部分（２０）の延長部に沿ってほぼ均一の破断強さを有する。パッケージを開封するために、ネック部分（２０）は、上部パッケージ部分を後方向に曲げることによって破断される。
2012512789.tif 000002
【特許請求の範囲】
【請求項１】
液体を中に保管するのに適したパッケージであって、
前シート（１０）と、
後シート（１２）と、
液密シール（１４）によって周囲で一緒に結合された、重ね合わされた前シートと後シート（１０、１２）の間に形成されたポケット（１６）と、
上部パッケージ部分を後方向に曲げることによって破断されるための、ポケット（１６）から延びるネック部分（２０）であって、ネック部分（２０）の少なくとも上部（２２）が、ポケット（１６）より狭く、上部パッケージ部分が、ネック部分（２０）の端部を含む、ネック部分（２０）とを備え、前シート（１０）および後シート（１２）が、ポケット（１６）およびネック部分（２０）の延長部に沿ってほぼ均一の破断強さを有し、少なくとも１つの補強部分（２８）が、前記上部パッケージ部分に配置され、補強部分（２８）が、ネック部分（２０）の左側では、ポケット（１６）に向かう方向にネック部分（２０）の上部（２２）に沿って第１の位置（３０）まで延びてそこで終端し、ネック部分（２０）の右側では、第２の位置（３２）まで延びてそこで終端しており、第１および第２の位置（３０、３２）が、ネック部分（２０）を横断して延びる直線（３４）上に位置している、パッケージ。
【請求項２】
補強部分（２８）が、重ね合わされた前シートと後シート（１０、１２）の間に形成された少なくとも１つの空洞を備える、請求項１に記載のパッケージ。
【請求項３】
ネック部分（２０）が、第１の部分（２２）と、接合部（２６）で第１の部分（２２）と境界を接する第２の部分（２４）とを備え、ネック部分（２０）が、接合部（２６）において曲がり部を形成し、ネック部分（２０）が、前記上部パッケージ部分を後方向に曲げることによって接合部（２６）で破断されるように適合されている、請求項１から２のいずれか一項に記載のパッケージ。
【請求項４】
接合部（２６）が、直線（３４）に隣接して位置する、請求項３に記載のパッケージ。
【請求項５】
ポケット（１６）および／またはネック部分（２０）が、ネック部分（２０）の上部（２２）に向かって先細になる、請求項１から４のいずれか一項に記載のパッケージ。
【請求項６】
ポケット（１６）およびネック部分（２０）が、前シート（１０）内に形成される、請求項１から５のいずれか一項に記載のパッケージ。
【請求項７】
前シート（１０）が、非晶質ポリマーを含む、請求項１から６のいずれか一項に記載のパッケージ。
【請求項８】
前シート（１０）が、シクロオレフィンコポリマー層（３６）を備える、請求項１から７のいずれか一項に記載のパッケージ。
【発明の詳細な説明】
【技術分野】
【０００１】
本発明は、液体を中に保管するのに適したパッケージ、特に、液体を保管および分注するための獣医用パッケージに関する。
【背景技術】
【０００２】
そのようなパッケージは、当技術分野でよく知られており、たとえば、猫または犬の皮膚に抗ノミ流体を施与するために使用される。内容物は、パッケージ内にしっかりと密封され、パッケージは、内容物、たとえば液体を分注するために開封される。
【０００３】
米国特許出願公開第２００７／０２２８０７３１号明細書から、それぞれの周囲縁で一緒に封止された底層および熱成形された上（ブリスター）層を有する液体を分注するための獣医用ブリスターパッケージが、知られている。液体貯留部は、漏斗状の出口通路および液体排出開口部を含んで、重ねられたシートの間に封入される。漏斗状の出口通路は、液体排出開口部を横断して延びる。液体排出開口部は、底層を脆弱化し、液体排出開口部で出口通路を横切る切り込み線の周りで、タブ部分を後方向に折り畳むことによって開放可能である。切り込み線の両端には、切欠部が設けられる。切欠部と漏斗状の出口通路の間には、タブ部分が、パッケージの基部に対してねじられたときに切り込み線に沿って破られることを防止するために、切り込み線を横断して延びる補強構造が設けられる。
【０００４】
米国特許第３７４１３８４号明細書は、類似のブリスターパッケージを開示しており、この場合、底層内の切り込み線は、上部ブリスター層の破断点を画定するために使用され、それと共に、排出開口部の位置を画定している。
【先行技術文献】
【特許文献】
【０００５】
【特許文献１】米国特許出願公開第２００７／０２２８０７３１号明細書
【特許文献２】米国特許第３７４１３８４号明細書
【特許文献３】国際公開第８８／０６５５８号
【特許文献４】国際公開第９４／１４３５６号
【発明の概要】
【発明が解決しようとする課題】
【０００６】
切り込み線、または一般的にはパッケージの層のいかなる切欠部も、パッケージを製造する際に相対的に高価なプロセスステップを必要とするという欠点を有する。
【０００７】
従来技術では、切り込み線の欠点を克服するために、いくつかの解決策が提供されている。
【０００８】
国際公開第８８／０６５５８号は、ブリスターパッケージを示しており、前シートおよび後シートが、ポケットおよびネック部分の延長部に沿ってほぼ均一の破断強さを有しており、すなわちポケットおよびネック部分に沿ったシーティング内には、パッケージが必然的に破れて開く好ましい位置を得るための脆弱部分は存在しない。しかしながら、パッケージが所定の位置で破れて開くことを確実にするために、ブリスター自体のネック部分は、曲げ力がブリスターパッケージにかけられたときにネック部分が破れなければならない位置に張力の上昇が存在するように成形される。しかしながら、この解決策は、いくつかの欠点を有する。予備成形されたネックは、所定の位置に分断を与えなければならない唯一の手段であるため、相対的に頑丈に形成され、これは、ブリスターパッケージを開くのに相対的に強い力が必要とされることを意味する。この強い力のため、分断プロセスは極めて制御不能であり、縁が一様に破れない結果になり得る。実際、この特許出願では、後の裏シートを横断して所定の分断位置の直後に停止線を設けることによって破損作業を容易にすることが望ましいことがすでに述べられている。
【０００９】
国際公開第９４／１４３５６号では、さらに別の解決策が選択される。このブリスターパッケージでは、ネック部分に沿ってシーティング内に切れ目が設けられ、つまり、切欠部が、ネック部分が破れて開かなければならない部位に設けられる。言い換えれば、シートは、ネック部分の延長部に沿ってほぼ均一の破断強さを有さない。これは、パッケージなどを製造するプロセスを複雑にしている。
【００１０】
本発明の目的は、液体を中に保管するのに適したパッケージであって、保管された内容物のユーザによる制御された分注を容易にし、製造が比較的容易であるパッケージを提供することである。
【課題を解決するための手段】
【００１１】
本発明によれば、この目的は、液体を中に保管するのに適したパッケージによって達成され、パッケージは：
前シートと、
後シートと、
液密シールによって周囲で一緒に結合された、重ね合わされた前シートと後シートの間に形成されたポケットと、
上部パッケージ部分を後方向に曲げることによって破断されるための、ポケットから延びるネック部分であって、ネック部分の少なくとも上部は、ポケットより狭く、上部パッケージ部分は、ネック部分の端部を含む、ネック部分とを備え、前シートおよび後シートが、ポケットおよびネック部分の延長部に沿ってほぼ均一の破断強さを有し、補強部分が、前記上部パッケージ部分に配置され、補強部分は、ネック部分の左側では、ポケットに向かう方向にネック部分の上部に沿って第１の位置まで延びてそこで終端し、ネック部分の右側では、第２の位置まで延びてそこで終端しており、第１および第２の位置は、ネック部分を横断して延びる直線上に位置している。
【００１２】
切り込み線が省かれ得ることが見出されているが、それにもかかわらずパッケージは、良好に画定された位置において破断され、このとき補強部分は、本明細書の上記で示されたようにネック部分の上部に沿って配置されている。
【００１３】
前シートおよび後シートそれぞれは、ポケットおよびネック部分の延長部に沿ってほぼ均一の破断強さを有している。すなわち、前シートも後シートも、少なくともポケットおよびネック部分の延長部に沿って、切り込み線、切欠きによって脆弱化された破断線、または各々それぞれのシートの破断強さにおいて突発的な（不連続の）低減をもたらす作動の任意の他の結果を含まない。言い換えれば、前シートおよび後シートの材料は、ポケットおよびネック部分の延長部に沿って無傷である。本発明によるパッケージでは、補強部は、ネック部分の左側においては、ポケットに向かう方向に第１の位置まで延びてそこで終端し、ネック部分の右側においては、第２の位置まで延びてそこで終端し、第１および第２の位置は、ネック部分を横断して延びる直線上に位置している。たとえば直線は、ネック部分を横断して横方向に延びる。好ましくは直線は、ポケットから遠隔にある。この実施形態では、米国特許第３７４１３８４号明細書から知られている配置を備えた例とは反対に、ネック部分の後シート部の破断時、無傷のままであり、有利には、特にたとえば抗ノミ流体を動物の毛皮を通して投与する際に、ポケットの内容物を対象物に方向付けるためにガイドとして使用され得る。第１および第２の位置まで延びてそれらで終端する補強部分はそれぞれ、ネック部分が、上部パッケージ部分を後方向に曲げることによって前記直線辺りで破断されることを容易にする。これは、補強部分が、線の上方で上部パッケージ部分を補強することによって生じる。たとえば、補強部分は、ネック部分が、補強部分の隣の、ある高さにおいて破断されることを妨げ得る。上部パッケージ部分が後方向に曲げられたとき、補強部分は、加えられた曲げ応力を、その下側端部、すなわち第１および第２の位置に集中させ得る。したがって、パッケージは、第１および第２の位置を接続する線辺りで破断しやすくなる。
【００１４】
ポケットは、保管貯留部を形成する。たとえば、ポケットは可撓性である。このため、たとえばポケットを押さえることによって貯留部内に含まれた液体を分注することが可能になる。たとえばポケットおよび／またはパッケージは、曲がりやすい。たとえばポケットは前シート内に形成され、前シートは、可撓性でありおよび／または曲がりやすい。
【００１５】
本発明の有用な詳細は、従属請求項において示されている。
【００１６】
１つの実施形態では、補強部分は、重ね合わされた前シートと後シートの間に形成された少なくとも１つの空洞を含む。たとえば、長手方向に延びる中空の空洞は、前シートおよび後シートの平坦な非中空の重ね合わせに比べ、たとえ個々の前シートおよび後シートそれぞれの破断強さが、補強部分およびその周囲にわたってほぼ均一であっても、より大きい曲がり抵抗および破損抵抗を有する。空洞を設けるとき、補強部分は、ポケットと同じ方法かつ同じプロセス段階で、たとえば熱成形およびスタンピングによって形成されてもよい。たとえば、シールが、ネック部分を空洞から遮断する。
【００１７】
１つの実施形態では、ネック部分は、第１の部分と、接合部で第１の部分と境界を接する第２の部分とを備え、ネック部分は、接合部において曲がり部、特に急な曲がり部（すなわち実質的に凹形ではない特有の角度を有する曲がり部）を形成し、ネック部は、前記上部パッケージ部分を後方向に曲げることによって接合部で破断されるように適合されている。この曲がり部のため、張力は、上部パッケージ部分が後方向に曲げられたときに曲がり部の位置で上昇し得る。これは、ネック部分を所望の位置において破断することをさらに容易にする。たとえば、接合部においてネック部分の形状内に切れ目が存在してもよい。
【００１８】
たとえば、接合部は、上記で述べられた直線に隣接して（すなわち当接して、一致して、少なくともその近傍に）位置する。したがって、補強部およびネック部分内の曲がり部の両方は、上部パッケージ部分が後方向に曲げられたときに前記直線辺りに曲げ応力を集中させることになる。
【００１９】
１つの実施形態では、ポケットおよび／またはネック部分は、ネック部分の上部に向かって先細になっている。たとえばネック部分の第１の部分は、真っすぐであり、すなわちほぼ均一の断面を有しており、ネック部分の第２の部分は、第１の部分に向かって先細になっている。したがって、第１および第２の部分の接合部におけるネック部分の形状内に切れ目が存在し、前記接合部に曲がり部が形成される。ポケットおよび／またはネック部分が、ネック部分に向かって先細になるとき、ネック部分の破断は、液体を分注するための比較的小さい開口部を創出する。開口部は、ポケットの大きい方の部分から遠隔にある。これが、ユーザによる液体の分注、すなわち液体の投与の制御を容易にする。
【００２０】
１つの実施形態では、ポケットおよびネック部分は、前シート内に形成される。たとえば、補強部分の空洞もまた、前シート内に形成されてもよく、すなわち空洞を形成する隆起部またはチャネルが、前シート内に形成されてもよい。たとえば、後シートは、ほぼ平坦である。これは、パッケージの製造を簡単にする。
【００２１】
たとえば、前シートは、熱成形可能なシートである。たとえば前シートは、非晶質ポリマーを含み、好ましくはそのようなポリマー（この場合、用語のポリマーはまた、ポリマー材料の混合物も含む）からほぼ完全に構成され、それにより、前シートは、非晶質材料から構成されたものとしてみなされ得る。非晶質材料は、いくらかの変形に抵抗することができるが、変形が大きすぎると、非晶質材料は、脆性材料のように挙動して破れる。これは、ポケット、および特にパッケージのネック部分を形成するのに理想的な組合せの特性である。
【００２２】
本発明の好ましい実施形態は、次に、図を併用して説明される。
【図面の簡単な説明】
【００２３】
【図１】本発明によるパッケージの前面図である。
【図２】図１のパッケージの側面図である。
【図３】パッケージの他の実施形態の前面図である。
【図４】図３のパッケージの側面図である。
【図５】パッケージの上部シートの概略的な部分断面図である。
【発明を実施するための形態】
【００２４】
図１および図２は、液体を中に保管するためのパッケージを概略的に示している。パッケージは、前シートおよび後シート１２からなる。シート１０および１２は、重ね合わされ、円周方向のシール領域１４内で周囲の液密シールによって一緒に接合される。シール領域１４は、ハッチング線によって図１で示されている。
【００２５】
前シート１０内には、液体を保管するためのポケット１６が形成される。ポケット１６は、比較的大きい断面の主要部１８を有し、ポケット１６から長手方向に延びるネック部分２０に向かって先細になっている。ネック部分２０は、上側の第１の部分２２および下側の第２の部分２４からなる。第２の部分は、ポケット１６と第１の部分２２を接続し、ポケット１６から接合部２６に向かって第１の部分２２まで先細になっている。第１の部分２２は、ほぼ均一の断面を有する。したがって、急な曲がり部が、接合部２６において前シート１０内に形成される。ネック部分２０は、漏斗状のものである。
【００２６】
ネック部分の第１の部分２２の隣の、ネック部分２０の左側および右側には、前シート１０と後シート１２の間に空洞を形成するチャネル２８が、前シート１０内に形成される。シール領域１４は、チャネル２８を取り囲む。したがって、チャネル２８は、補強部分を形成する。チャネル２８は、ポケット１６に向かう方向に、チャネルの端部を位置決めする第１の位置３０および第２の位置３２それぞれまで延びる。
【００２７】
第１の位置３０、第２の位置３２、および接合部２６は、ネック部分２０の長手方向に対して直角である直線３４上辺りにある。接合部２６は、第１の位置３０および第２の位置３２を接続する線のわずか下方に配置される。ポケット１６からネック部分２０の上端部に向かって、パッケージの横方向の延長部は、ネック部分の第２の部分２４に沿って低減し、次いで再度増大して、補強部分の領域内で局所的な最大延長部に到達する。
【００２８】
ポケット１６、ネック部分２０、およびチャネル２８が前シート１０内に形成されていることに加えて、前シート１０は、ネック部分２０の延長部全体、特にそれに沿ってほぼ均一の破断強さを有する。前シート１０のポリマー材料の例が、図５を参照して以下で説明される。
【００２９】
後シート１２は、ほぼ平坦であり、これもまたネック部分２０の延長部全体、特にそれに沿ってほぼ均一の破断強さ有する。
【００３０】
ポケット１６は、液体、たとえば抗寄生虫薬、特に抗ノミ剤および抗ダニ剤で充填される。たとえば、ポケット１６は、パッケージが直立の形に保たれたとき、少なくともネック部分の第１の部分２２が空になるような程度まで充填される。たとえば、ポケット１６は、数ミリリットルの液体を含むことができる。たとえば、ポケット１６およびネック部分２０の全容積は、約７ｍｌでもよい。
【００３１】
ユーザは、次の通りにパッケージを開封することができる。上部のパッケージ部分、たとえば補強部分２８を含む線３４より上の部分が、図２の矢印および点線によって示されるように後方向に曲げられたとき、ネック部分２０は、線３４を破断する。したがって、ネック部分２０は、そのくらいの高さで、補強部分２８が終端するところで破れることになる。それによって、排出開口部が、現在破断されている接合部２６において創出される。この位置では、ネック部分２０は、比較的小さい断面を有する。したがって、ポケット１６を押さえることにより、ユーザは、制御された方法で液体をポケット１６から排出させることができる。こうして、ネック部分２０の第２の部分２４は、投与漏斗を形成し、投与漏斗は、ほぼ無傷のままであり、たとえば動物の毛皮または毛を通して液体の確実な投与を可能にするためのガイドとして作用する。ネック部分の先端、すなわち第１の部分２２のみが、パッケージの開封の際にちぎれる。
【００３２】
図３および図４は、ポケット１６がより少ない量を有するという点で図１および図２の実施形態とは異なる、パッケージの他の実施形態を示している。ポケット１６は、漏斗状のネック部分２０の第２の部分２４との接合部において最大の断面を有する。ネック部分の上部の第１の部分１１は、ポケット１６より狭い。たとえばネック部分２０を含むポケット１６は、約１から２ｍｌの液体量、または１ｍｌ未満の液体量を含むことができる。たとえば、ポケット１６およびネック部分２０の全容積は、約１，５ｍｌでもよい。
【００３３】
図５は、本発明の１つの実施形態における前シート１０の構造を概略的に示している。前シート１０は、たとえば３００マイクロメートルの厚さのシクロオレフィンコポリマー（ＣＯＣ）の内側層３６を含む多層構造を有する。ＣＯＣ材料は、非晶質ポリマーである。
【００３４】
このポリマーは、たとえばキャスト押し出しフィルムとして提供される。層３６は、ポケット１６を密封するための障壁フィルムを形成する。たとえば層３６は、ポリプロピレン（ＰＰ）の２つの層３８の間に積層される。たとえば、ＰＰ層３８は、それぞれの接着層または結合層４０によって層３６に接続されてもよい。たとえば層３８および結合層４０はそれぞれ、２０マイクロメートルの厚さを有する。たとえば、前シート１０は、ポケット１６内に含まれた液体が見えるように半透明である。そのようなシート１０は、たとえば商標ＰＯＬＹＢＡＲ（Ｒ）の下でＡＬＣＡＮ  Ｐａｃｋａｇｉｎｇ（Ｋｒｅｕｚｌｉｎｇｅｎ、Ｇｅｒｍａｎｙ）から得られてもよい。
【００３５】
たとえばポケット１６およびネック部分２０、ならびに補強部分２８は、熱成形によって前シート１０内に形成される。
【００３６】
たとえば、後シート１２はアルミ箔である。たとえば、後シート１２は、ブリスターパッケージの当技術分野で知られているようにシールラッカーを用いて前シート１０に対して封止される。
【図１】
2012512789.tif 000003
【図２】
2012512789.tif 000004
【図３】
2012512789.tif 000005
【図４】
2012512789.tif 000006
【図５】
2012512789.tif 000007
【国際調査報告】
2012512789.tif 000008
2012512789.tif 000009